(57)【要約】【課題】扉体の厚さと角落し戸当りの間口の寸法差が大きくても、複数の角落し扉体を積み重ねた場合に、各角落し扉体の裏面と角落し戸当りの当り面との隙間を縮小して、止水性能を向上させることができる角落しゲートを提供する。【解決手段】最下段の角落し扉体３は、下面の第２傾斜面９が角落し戸当２，２りの底部２ａに設けられている凸部１１の傾斜面１０に干渉して、角落し戸当り２，２の下流側の当り面２１に片寄り、最下段の角落し扉体３の裏面と下流側の当り面２１との隙間５を縮小させるとともに、上段に積み重ねられる角落し扉体３の第２傾斜面９が下段の角落し扉体３の上面に設けられている第１傾斜面７に干渉して角落し戸当り２，２の下流側の当り面２１に片寄り、積み重ねられた上段の角落し扉体３，３…の裏面と下流側の当り面２１との隙間５を縮小する。【選択図】        図８
2004218343.tif 000002
【特許請求の範囲】
【請求項１】
水路の幅方向両側に設けられている上下方向の角落し戸当りに、複数の角落し扉体それぞれの幅方向両端角落し部を吊り上げ可能に順次吊り降ろして、複数の角落し扉体を積み重ねて水流を堰止めるように構成した角落しゲートにおいて、前記角落し戸当りの底部と前記複数の角落し扉体それぞれの上下面に、角落し扉体の積み重ね時に互いに干渉し合って上段の角落し扉体を前記角落し戸当りの当り面に片寄らせる傾斜面が設けられていることを特徴とする角落しゲート。
【発明の詳細な説明】
【０００１】
【発明の属する技術分野】
本発明は、複数の角落し扉体を積み重ねて水流を堰止めるのに好適な角落しゲートに関する。
【０００２】
【従来の技術】
従来より、複数の角落し扉体を積み重ねて水流を堰止めるのに好適な角落しゲートとして、図１０および図１１に示すものがある（たとえば、特許文献１参照。）。
【０００３】
この角落しゲートは、水路１の幅方向両側に設けられている角落し戸当り２，２に複数の角落し扉体３，３…それぞれの幅方向両端角落し部３ａ，３ａを吊り上げ可能に順次吊り降ろして、複数の角落し扉体３，３…を積み重ねて水流Ｆを堰止めるように構成されている。
【０００４】
ところで、この種の角落しゲートでは、複数の角落し扉体３，３…を積み重ねるのに際して、各角落し扉体３，３…を揚重機４により順次吊り降ろした時に、角落し扉体３から自動的に外れるように工夫した吊り具が使用されるので、扉体３の厚さＴと角落し戸当り２，２の間口Ｔ１、詳しくは、角落し扉体３における幅方向両端部の角落し部３ａ，３ａの厚さＴと角落し戸当り２，２の間口Ｔ１との寸法差（Ｔ１−Ｔ）が小さいと、角落し扉体３を吊り降ろしている途中で前記図示していない吊り具が外れるおそれを有しているため、前記寸法差を大きくする必要があった。
【０００５】
【特許文献１】
実公平４−１９０７１号公報（第５頁、第８図）
【０００６】
【発明が解決しようとする課題】
ところが、前述の寸法差（Ｔ１−Ｔ）を大きくすると、複数の角落し扉体３，３…を積み重ねた場合に、各角落し扉体３の裏面と角落し戸当り２，２の前面との隙間５、詳しくは、角落し部３ａ，３ａの裏面に設けられている止水用ゴム板６と戸当り２，２の前面との隙間５が大きく（５〜１０ｍｍ程度）なって、止水性能が低下し、大きな水洩れが発生することになる。
【０００７】
本発明は、このような事情を考慮してなされたもので、扉体の厚さと角落し戸当りの間口の寸法差が大きくても、複数の角落し扉体を積み重ねた場合に、各角落し扉体の裏面と角落し戸当りの当り面との隙間を縮小して、止水性能を向上させることができる角落しゲートを提供することを目的としている。
【０００８】
【課題を解決するための手段】
前記目的を達成するために、本発明に係る角落しゲートは、水路の幅方向両側に設けられている上下方向の角落し戸当りに、複数の角落し扉体それぞれの幅方向両端角落し部を吊り上げ可能に順次吊り降ろして、複数の角落し扉体を積み重ねて水流を堰止めるように構成した角落しゲートにおいて、前記角落し戸当りの底部と前記複数の角落し扉体それぞれの上下面に、角落し扉体の積み重ね時に互いに干渉し合って上段の角落し扉体を前記角落し戸当りの当り面に片寄らせる傾斜面が設けられていることを特徴としている。
【０００９】
本発明によれば、複数の角落し扉体を積み重ねるのに際して、各角落し扉体を順次吊り降ろした時に、最下段の角落し扉体は、その下面に設けられている傾斜面が角落し戸当りの底部に設けられている傾斜面に干渉して角落し戸当りの当り面に片寄り、最下段の角落し扉体の裏面と角落し戸当りの当り面との隙間を縮小することができるとともに、上段に積み重ねられる角落し扉体は、その下面に設けられている傾斜面が下段の角落し扉体の上面に設けられている傾斜面に干渉して角落し戸当りの当り面に片寄り、積み重ねられた上段の角落し扉体の裏面と角落し戸当りの当り面との隙間を縮小することができる。
【００１０】
【発明の実施の形態】
以下、本発明の一実施の形態を図面に基づいて説明する。なお、図１０および図１１で説明した従来例と同一もしくは相当部分には、同一符号を付して説明する。
【００１１】
図１は角落し扉体の一実施の形態を示す斜視図、図２は図１の右側面図、図３は水路に設けた角落し戸当りの一実施の形態を示す平面図、図４は図３のＡ−Ａ線断面図、図５は図４の右側面図である。図１および図２において、角落し扉体３には、その前端部の上側に垂直前端面３Ａの上端から後方にかけて下がり勾配の第１傾斜面７を有するクサビ形の凸部８が幅方向に一様に設けられ、第１傾斜面７の後端から垂直後端面３Ｂの上端にかけて水平な上面３Ｃが連続している。また、前端部の下側に垂直前端面３Ａの下端から後方にかけて下がり勾配の第２傾斜面９が幅方向に一様に設けられ、第２傾斜面９の後端から垂直後端面３Ｂの下端にかけて水平な下面３Ｄが連続している。そして、第１傾斜面７の傾斜角θと第２傾斜面９の傾斜角θは同じ値に設定されているとともに、第１傾斜面７の長さと第２傾斜面９の長さが同じ値に設定されている。さらに、各角落し扉体３，３…における幅方向両端角落し部３ａ，３ａの裏面、つまり垂直後端面３Ｂの幅方向両端部に止水用ゴム板６が取付けられている。
【００１２】
一方、図３、図４および図５に示すように、水路１の幅方向両側に設けられている上下方向の角落し戸当り２，２は一様な断面コ字状のもので、その下端部は水平な底部材２Ａの幅方向両端部によって塞がれ、該底部材２Ａの幅方向両端部で角落し戸当り２，２の底部２ａ，２ａを形成している。そして、底部２ａ，２ａの上面には、角落し戸当り２，２における上流側の当り面２０から下流側の当り面２１にかけて下がり勾配の傾斜面１０を有するクサビ形の凸部１１が設けられており、傾斜面１０の傾斜角θは第１，第２傾斜面７，９の傾斜角θと同じ値に設定されているとともに、傾斜面１０の長さが第１，第２傾斜面７，９の長さよりも大きい値に設定されている。
【００１３】
前記構成において、複数の角落し扉体３，３…を積み重ねるのに際して、最下段の角落し扉体３における幅方向両端角落し部３ａ，３ａを角落し戸当り２，２上端開口に対応させて吊り降ろすと、まず、図６の二点鎖線で示すように、第２傾斜面９の幅方向両端部が角落し戸当り２，２の底部２ａ，２ａに設けられているクサビ形の凸部１１の傾斜面１０に当接する。さらに最下段の角落し扉体３の吊り降ろしを継続することで、第２傾斜面９と傾斜面１０が互いに干渉して、最下段の角落し扉体３の自重により第２傾斜面９が傾斜面１０上を摺動して、実線で示すように、最下段の角落し扉体３が角落し戸当り２，２における下流側の当り面２１側に片寄って、角落し部３ａ，３ａの裏面の止水用ゴム板６と角落し戸当り２，２の下流側の当り面２１との隙間５が１ｍｍ程度に縮小された状態で底部材２Ａ上に定置される。
【００１４】
つぎに、下から二段目の角落し扉体３における幅方向両端角落し部３ａ，３ａを角落し戸当り２，２上端開口に対応させて吊り降ろすと、まず、図７の二点鎖線で示すように、下から二段目の角落し扉体３の第２傾斜面９が最下段の角落し扉体３の第１傾斜面７に当接する。さらに下から二段目の角落し扉体３の吊り降ろしを継続することで、下から二段目の角落し扉体３の第２傾斜面９と最下段の角落し扉体３の第１傾斜面７が互いに干渉して、下から二段目の角落し扉体３の自重によりその第２傾斜面９が最下段の角落し扉体３の第１傾斜面７上を摺動して、実線で示すように、下から二段目の角落し扉体３が角落し戸当り２，２における下流側の当り面２１側に片寄って、最下段の角落し扉体３の水平な上面３Ｃ上に下から二段目の角落し扉体３の水平な下面３Ｄが重なり、かつ最下段の角落し扉体３の垂直前端面３Ａ上に下から二段目の角落し扉体３の垂直前端面３Ａが一直線状で連続するとともに、角落し部３ａ，３ａの裏面の止水用ゴム板６と角落し戸当り２，２の下流側の当り面２１との隙間５が１ｍｍ程度に縮小された状態で、最下段の角落し扉体３の上に下から二段目の角落し扉体３が積み重ねられる。
【００１５】
以下は、下から二段目の角落し扉体３の上に前記と同様の手順で複数の角落し扉体３を順次積み重ねることにより、たとえば図８に示すように、角落し扉体３が五段積みされ、各段の角落し扉体３，３…が角落し戸当り２，２における下流側の当り面２１側に片寄って、下段の角落し扉体３の水平な上面３Ｃ上に上段の角落し扉体３の水平な下面３Ｄが重なり、かつ下段の角落し扉体３の垂直前端面３Ａ上に上段の角落し扉体３の垂直前端面３Ａが一直線状で連続するとともに、角落し部３ａ，３ａの裏面の止水用ゴム板６と角落し戸当り２，２の下流側の当り面２１との隙間５が１ｍｍ程度に縮小された角落しゲートを構築することができる。
【００１６】
このように、複数の角落し扉体３，３…は、角落し戸当り２，２における下流側の当り面２１側に片寄って積み重ねられるので、扉体３の厚さＴと角落し戸当り２，２の間口Ｔ１との寸法差（Ｔ１−Ｔ）が大きくても、角落し部３ａ，３Ａの裏面の止水用ゴム板６と角落し戸当り２，２の下流側の当り面２１との隙間５が１ｍｍ程度に縮小されて止水性能を向上させて、水洩れを小さくすることができる。また、水圧によって複数の角落し扉体３，３…が下流側の当り面２１方向に押圧されるため、止水性能が一層向上して、水洩れをさらに小さくすることができる。しかも、前記寸法差（Ｔ１−Ｔ）が大きいことによって、角落し扉体３を吊り降ろしている途中で図示していない吊り具が外れる不都合を回避することができる。
【００１７】
なお、前記実施の形態では、前端部の上側に垂直前端面３Ａの上端から後方にかけて下がり勾配の第１傾斜面７を有するクサビ形の凸部８が幅方向に一様に設けられ、第１傾斜面７の後端から垂直後端面３Ｂの上端にかけて水平な上面３Ｃが連続し、前端部の下側に垂直前端面３Ａの下端から後方にかけて下がり勾配の第２傾斜面９が幅方向に一様に設けられ、第２傾斜面９の後端から垂直後端面３Ｂの下端にかけて水平な下面３Ｄが連続している形状の角落し扉体３で説明しているが、角落し扉体３の形状は前記実施の形態のみに限定されるものではなく、図９に示すように、凸部１１の傾斜面１０の傾斜角θと同じ値の傾斜角θを有する第１傾斜面７と第２傾斜面９を垂直前端面３Ａから垂直後端面３Ｂにかけて設けた形状の角落し扉体３であってもよい。
【００１８】
【発明の効果】
以上説明したように、本発明の角落しゲートは構成されているので、以下のような格別の効果を奏する。
【００１９】
すなわち、複数の角落し扉体は、傾斜面同士の干渉によって角落し戸当りにおける当り面側に片寄って積み重ねられるので、扉体の厚さと角落し戸当りの間口との寸法差が大きくても、各角落し扉体の裏面と角落し戸当りの当り面との隙間が縮小されて止水性能を向上させて、水洩れを小さくすることができる。
【図面の簡単な説明】
【図１】本発明に係る角落し扉体の一実施の形態を示す斜視図である。
【図２】図１の右側面図である。
【図３】水路に設けた角落し戸当りの一実施の形態を示す平面図である。
【図４】図３のＡ−Ａ線断面図である。
【図５】図４の右側面図である。
【図６】最下段の角落し扉体の定置状態を示す断面図である。
【図７】下から二段目の角落し扉体を積み重ねた状態の断面図である。
【図８】本発明に係る角落しゲートの一実施の形態を示す断面図である。
【図９】本発明に係る角落しゲートの他の実施の形態を示す断面図である。
【図１０】従来例の正面図である。
【図１１】図１０のＢ−Ｂ線断面図である。
【符号の説明】
１  水路
２  角落し戸当り
２ａ  角落し戸当りの底部
３  角落し扉体
７  角落し扉体上面の第１傾斜面（傾斜面）
９  角落し扉体下面の第２傾斜面（傾斜面）
１０  角落し戸当りの底部の傾斜面（傾斜面）
２１  角落し戸当りの下流側の当り面（角落し戸当りの当り面）
Ｆ  水流
【図１】
2004218343.tif 000003
【図２】
2004218343.tif 000004
【図３】
2004218343.tif 000005
【図４】
2004218343.tif 000006
【図５】
2004218343.tif 000007
【図６】
2004218343.tif 000008
【図７】
2004218343.tif 000009
【図８】
2004218343.tif 000010
【図９】
2004218343.tif 000011
【図１０】
2004218343.tif 000012
【図１１】
2004218343.tif 000013